(57)【要約】【課題】ノッチから指で切り裂き開封して液体内容物を取り出す際に、切り終わり端部が尖らないように改良されたパウチ袋を提供することを目的とする。【解決手段】本発明は、前後２枚のプラスチックフイルム２ａ、２ｂを重ね合わせて熱シールすることにより袋状に加工されてなり、両側部に設けられたノッチ４，４の一方から開封して内容物を取り出すパウチ袋に係り、両ノッチ４，４のそれぞれの上部分に、上辺シール部３ａから側部シール部３ｂに向かって下方に曲折する開封補助線５が設けられていることを特徴とする。【選択図】図１
2019001528.tif 000002
【特許請求の範囲】
【請求項１】
前後２枚のプラスチックフイルムを重ね合わせて熱シールすることにより袋状に加工されてなり、両側部に設けられたノッチの一方から開封して内容物を取り出すパウチ袋において、
前記両ノッチのそれぞれの上部分に、上辺シール部から側部シール部に向かって下方に曲折する開封補助線が設けられていることを特徴とするパウチ袋。
【請求項２】
前記開封補助線は、湾曲する曲線で形成される請求項１に記載のパウチ袋。
【請求項３】
前記２枚のプラスチックフイルムは、熱可塑性樹脂フィルム／シール層又は熱可塑性樹脂フィルム／バリア層／シール層の積層フィルムで形成されている請求項１又は２に記載のパウチ袋。
【発明の詳細な説明】
【技術分野】
【０００１】
本発明は一般にパウチ袋に関するものであり、より特定的には、ノッチから指で切り裂き開封して、凍結した液体内容物を取り出す際に、切り終わり端部が尖らないように改良されたパウチ袋に関する。
【背景技術】
【０００２】
従来から使用されているパウチ袋１は、図３（Ａ）に示すように、前後２面の壁面フィルム２ａ、２ｂを備え、これらの４辺すなわち両側部と上辺と下辺をシールしてなる。斜めハッチングした部分がシール部３である。前後２枚のプラスチックフイルム２ａ、２ｂは、例えばＰＥＴ（ポリエチレンテレフタレート）/ＰＥ（ポリエチレン）/ＡＬ（アルミニウム箔）/ＮＹ（ナイロン）/ＬＬ（リニアローデンシティポリエチレンフィルム）で形成される。
【０００３】
パウチ袋１の両側部には、開封のきっかけを与えるノッチ４、４が設けられている。両側のノッチ４，４を結ぶように、開封補助線５が設けられている。開封補助線５はレーザの照射によって一部表面を変質、溶融や蒸発させることで直接被加工物に刻印したものである。一方の側のフィルム２ａと他方の側のフィルム２ｂとに囲まれて形成された収容部に、飲料品などの内容物６が密封される。内容物６を取り出す時は、図３（Ｂ）に示すように、一方のノッチ４から指７で開封補助線５に沿って切り裂いて開封する。しかし、内容物６が冷凍された時には、開封補助線５に誘導されて切れずに、図３（Ｃ）を参照して、一方のノッチから指７で切り裂くと、凍った内容物６の表面に沿って切れ始め、そのまま凍った内容物６の表面に沿って切れ、そのまま延長して切れていき、切り終わる。その結果、切り終わり端部において、尖った切り口８ができ、この尖った切り口８が指７を傷つけるという問題点があった。
【０００４】
本発明に関連して、図４に示すような、上部にチャック９が設けられ、底部シール部の内縁に沿って開封補助線１０が設けられ、底側を切り取ることにより、底側から内容物である固形食品１１を取り出すパウチ容器が提案されている（特許文献１）。しかし底部シール部の内縁に沿って開封補助線１０を設ける構成の場合、内容物が液体でこれが冷凍された場合には、冷凍庫保存時に内容物が凍り膨張し、開封補助線１０の部分で張り裂けてしまう、このようなパウチ容器は冷凍用には向かないという課題がある。
【先行技術文献】
【特許文献】
【０００５】
【特許文献１】特開２０１７−６５６８４号公報（たとえば図１０参照）
【発明の概要】
【発明が解決しようとする課題】
【０００６】
この発明は、上記のような問題点を解決するためになされたもので、液体内容物の冷凍が可能で、しかもノッチから指で切り裂いて凍結した液体内容物を取り出す際に、切り終わり端部が尖らないように改良されたパウチ袋を提供することを目的とする。
【課題を解決するための手段】
【０００７】
本発明は、前後２枚のプラスチックフイルムを重ね合わせて熱シールすることにより袋状に加工されてなり、両側部に設けられたノッチの一方から開封して内容物を取り出すパウチ袋において、上記両ノッチのそれぞれの上部分に、上辺シール部から側部シール部に向かって下方に曲折する開封補助線が設けられていることを特徴とする。
【０００８】
開封補助線が、上記両ノッチのそれぞれの上部分に、上辺シール部から側部シール部に向かって下方に曲折するので、飲料などの内容物が凍結していても、一方のノッチから指で切り裂き開封すると、切り終わり端部である他方の側部において、上辺シール部から側部シール部に向かって下方に曲折する開封補助線に誘導されて上部が切り取られる。
【０００９】
上記開封補助線は、湾曲する曲線で形成されるのが好ましい。湾曲する曲線で形成されると、他方の側部において切り終わり端部は丸みを帯びる。
【００１０】
上記２枚のプラスチックフィルムは、熱可塑性樹脂フィルム／シール層又は熱可塑性樹脂フィルム／バリア層／シール層の積層フィルムで形成される。熱可塑性樹脂フィルムは積層フィルムで形成するのが好ましい。熱可塑性樹脂フィルムの厚みは１２〜２５μｍである。シール層の厚みは４０〜７０μｍである。
【００１１】
当該パウチ袋は、スタンディングパウチであってもよい。
【発明の効果】
【００１２】
本発明に係るパウチ袋によれば、上記両ノッチのそれぞれの上部分に、上辺シール部から側部シール部に向かって下方に曲折する開封補助線が設けられているので、飲料などの内容物が凍結していても、一方のノッチから指で切り裂くと、他方の側部において、上辺シール部から側部シール部に向かって下方に曲折する開封補助線に誘導されて切り取られ、他方の側部において、尖った切り口ができない。
【図面の簡単な説明】
【００１３】
【図１】（Ａ）は、本発明の実施例１に係るパウチ袋の正面図であり、（Ｂ）は、開封の動作を説明する図、（Ｃ）は、開封後のパウチ袋の正面図である。
【図２】本発明の実施例２に係るパウチ袋の正面図である。
【図３】（Ａ）は、従来例に係るパウチ袋の正面図であり、（Ｂ）は開封の動作を説明する図、（Ｃ）は開封後のパウチ袋の正面図である。
【図４】他の従来例に係るパウチ袋の正面図である。
【発明を実施するための形態】
【００１４】
ノッチから指で切り裂いて凍結した内容物を取り出す際に、切り終わり端部が尖らないように改良されたパウチ袋を得るという目的を、両ノッチのそれぞれの上部分に、上辺シール部から側部シール部に向かって下方に曲折する開封補助線を設けることによって実現した。以下、本発明の実施例を、図を用いて説明する。なお、各図中において、同一又は相当する部分には同一の参照番号を付し、その説明を繰り返さない。
【実施例１】
【００１５】
図１（Ａ）を参照して、本発明の実施例１に係るパウチ袋１は、前後２枚のプラスチックフイルム２ａ、２ｂを重ね合わせて熱シールすることにより袋状に加工されてなり、両側部に設けられたノッチ４，４の一方から開封して内容物を取り出すパウチ袋に係る。斜めハッチングした部分がシール部３である。前後２枚のプラスチックフイルム２ａ、２ｂは、例えばＰＥＴ/ＰＥ/ＡＬ/ＮＹ/ＬＬで形成される。両ノッチ４，４のそれぞれの上部分に、上辺シール部３ａから側部シール部３ｂに向かって下方に曲折する開封補助線５が設けられている。図１（Ｂ）、（Ｃ）に示すように、ジュース、飲料などの内容物６が凍結していても、一方のノッチから指７で切り裂くと、初期には、凍った内溶物６の表面に沿って切れ始めるが、他方の側部に近づくと、開封補助線５に誘導されて、上辺シール部３ａから側部シール部３ｂに向かって下方に曲折して切れる。開封補助線５は、湾曲する曲線で形成されるのが好ましい。湾曲する曲線で形成されると、他方の側部において切り終わり端部１２は丸みを帯びる。
【００１６】
両ノッチ４，４のそれぞれの上部分に、上辺シール部３ａから側部シール部３ｂに向かって下方に曲折する対称の開封補助線５が設けられており、どちらのノッチ４，４からの引き切り、押し切りで切っても、切り終わり端部１２は丸みを帯びる。
【００１７】
尖った切り口ができていないことを数値的に確認するために、直径１５ｃｍのゴム風船に切り終わり端部を押し当てていき、何ｃｍ沈めたら風船が割れるかを評価した。表１に結果を示す。
【００１８】
【表１】
2019001528.tif 000003
【実施例２】
【００１９】
上記実施例１では、開封補助線５が湾曲する曲線で形成された場合を例示したが、この発明はこれに限られるものでなく、図２に示すように、上辺シール部３ａから側部シール部３ｂの方へ下に向かって折れ曲がる、直線と直線の組み合わせで開封補助線５を構成しても相当の効果を奏する。直線と直線の角度は鈍角に選ばれるのが好ましい。
【００２０】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２１】
本発明に係るパウチ袋は、飲料などの内容物が凍結していても、開封の際に切り終わり端部で尖った切り口ができないので、安心して使用できる。
【符号の説明】
【００２２】
１     パウチ袋
２ａ   一方の壁面フィルム
２ｂ   他方の壁面フィルム
３     シール部
３ａ   上辺シール部
３ｂ   側部シール部
４     ノッチ
５     開封補助線
６     内容物
７     指
８     尖った切り口
９     チャック
１０   開封誘導線
１１   固形食品
１２   切り終わり端部
【図１】
2019001528.tif 000004
【図２】
2019001528.tif 000005
【図３】
2019001528.tif 000006
【図４】
2019001528.tif 000007